(57)【要約】【課題】  金銭自動預払機（通称ＡＴＭ、以後ＡＴＭと称す）に電話機能を装備させ、キャッシュカードを使ってＡＴＭから現金を引き出そうとする時、予めキャッシュカードに登録された携帯電話番号又は一般加入電話番号をＡＴＭで読み取り、電話機能を装備したＡＴＭから自動的にその携帯電話又は一般加入電話に発信し、受信した携帯電話又は一般加入電話からＹＥＳの信号が無ければ作動しないＡＴＭ．【解決手段】  この発明は  盗難にあったキャッシュカードや、他人にデーターを読み取られ複写された偽造キャッシュカードで、ＡＴＭから簡単に現金が引きだされる犯罪が多発している犯罪防止のために発明した。本発明はＡＴＭ、キャッシュカード、携帯電話というＩＴ機器のその機能を充分に活用した防犯システムであります。【選択図】  図１
2005174271.tif 000002
【特許請求の範囲】
【請求項１】
金銭自動預払機（通称ＡＴＭ、以下ＡＴＭと称す）に電話機能を装備させ、キャッシュカードを使ってＡＴＭから現金を引き出そうとする時、予めキャッシュカードに登録された携帯電話番号又は一般加入電話番号をＡＴＭで読み取り、電話機能を装備したＡＴＭから自動的にその携帯電話又は一般加入電話に発信し、受信した携帯電話又は一般加入電話からＹＥＳの信号が無ければ作動しないＡＴＭ。
【請求項２】
ＡＴＭに電話機能を装備させ、キャッシュカードを使ってＡＴＭから現金を引き出そうとする時、予めキャッシュカードに登録された携帯電話番号又は一般加入電話番号をＡＴＭで読み取り、暗証番号を打ち込むことにより、電話機能を装備したＡＴＭから自動的にその携帯電話又は一般加入電話に発信し、受信した携帯電話又は一般加入電話からＹＥＳの信号が無ければ作動しないＡＴＭ。
【請求項３】
ＡＴＭに電話機能を装備させ、キャッシュカードを使ってＡＴＭから現金を引き出そうとする時、予めキャッシュカードに登録された携帯電話番号又は一般加入電話番号をＡＴＭで読み取り、電話機能を装備したＡＴＭからその携帯電話又は一般加入電話に発信し、受信した携帯電話又は一般加入電話からＹＥＳの信号が無ければ作動しないＡＴＭに使用する、携帯電話番号又は一般加入電話番号を登録したキャッシュカード。
【発明の詳細な説明】
【技術分野】
【０００１】  この発明は、盗難にあったキャッシュカードや、他人にデーターを読み取られ複写された偽造キャッシュカードで、ＡＴＭから簡単に現金が引き出される犯罪が多発している犯罪防止のために発明した。
犯人が窃盗したキャッシュカードや、データを読み取り複写した偽造キャッシュカードで、ＡＴＭから現金を引き出す時、電話機能を装備したＡＴＭと、携帯電話番号又は一般加入電話番号を登録したキャッシュカードで、携帯電話又は一般加入電話を使って請求項目１から３の手段で確認しなければ現金が引き出せないシステムの発明であります。
【技術背景】
【０００２】  本発明の技術背景は、ＡＴＭからキャッシュカードで現金を引き出すとき、ＡＴＭを操作している人以外所から携帯電話又は一般加入電話回線を使って犯罪防止のため、現金の引き出しを阻止するシステムであります。
携帯電話又は、一般加入電話回線から別の電話器の機能を制御する代表的な事例は、電話器から別の電話器の留守番電話機能、電話転送機能を変更する、など枚挙に暇が無いほどに実用化されている技術であり、その制御技術を本発明の技術背景としています。
【発明の開示】
【発明が解決しようとする課題】
【０００３】  本発明が解決しようとする課題は、ＡＴＭからキャッシュカードを使って現金を引き出す場合、キャッシュカードと暗証番号がＡＴＭで照合出来れば、不特定多数誰であっても現金を引き出すことは可能であります。その為、窃盗したキャッシュカード、データーを読み取り複写した他人の偽造キャッシュカードで現金を引き出す犯罪が多発しています。
窃盗したキャッシュカードや、データーを読み取り複写した他人の偽造キャッシュカードで、犯人がＡＴＭから現金を引き出そうとする時、電話回線を使って他の所からその行為を阻止することであります。
以下、本発明の請求項で記述するごとく３通りの手段で阻止する方法が考えられます。
【課題を解決するための手段】
【０００４】  請求項１について記述する、ＡＴＭに電話機能を装備させ、予め携帯電話番号又は一般加入電話番号を登録したキャッシュカードを使って、ＡＴＭを操作すると、ＡＴＭはその電話番号を読み取り自動的に登録された携帯電話又は一般加入電話に発信する。受信した携帯電話又は一般加入電話からＡＴＭ操作続行のＹＥＳ信号が無い限りＡＴＭは作動しない。窃盗されたキャッシュカード、偽造されたキャッシュカードであれば、ＮＯ信号を発信し、ＡＴＭに装着したアラームブザーが吹鳴して、ＡＴＭの機能を停止させ、現金の引き出しを未然に防ぎ、犯人をその場で現行犯逮捕に結びつけることが出来る。【０００５】  請求項２について記述する。ＡＴＭに電話機能を装備させ、予め携帯電話番号又は一般加入電話番号を登録したキャッシュカードを使って、ＡＴＭを操作し、暗証番号を打ち込むと同時にＡＴＭはその電話番号を読み取り自動的に登録された携帯電話又は一般加入電話に発信する。受信した携帯電話又は一般加入電話からＡＴＭ操作続行のＹＥＳ信号ない限りＡＴＭは作動しない。窃盗されたキャッシュカード、偽造されたキャッシュカードであればＮＯ信号を発信し、ＡＴＭに装着したアラームブザーが吹鳴して、ＡＴＭの機能を停止させ、現金の引き出しを未然に防ぎ、犯人をその場で現行半逮捕に結びつけることが出来る。【０００６】  請求項３について記述する、上記【０００４】
【０００５】の効果を得るために必要不可欠な、携帯電話番号、又は一般加入電話番号を登録したキャッシュカード。
【発明の効果】
【０００７】    この発明はＡＴＭから、窃盗にあったキャッシュカードや、他人にデーターを読み取られ複写された偽造キャッシュカードで、ＡＴＭから現金を引き出すと言う犯罪が多発している現状をかんがみ、未然に犯罪を阻止するために考案されたものであります。ＡＴＭに電話機能を装備し、予め携帯電話番号又は一般加入電話番号を登録したキャッシュカードを使ってＡＴＭを操作すると、ＡＴＭはその電話番号を読み取り自動的に登録された携帯電話又は一般加入電話に発信する。受信した携帯電話又は一般加入電話からＡＴＭ操作続行のＹＥＳ信号が無い限りＡＴＭは作動しない。当然引き出し人が本人であればその場で携帯電話を操作すれば良い。従来の暗証番号のみのセキュリティーでは、他人に盗まれればＡＴＭ操作人が誰であろうとも如何ともしがたいものであった。本発明は二重のセキュリティーであり、本人の確認が出来る上、遠隔操作が出来、犯罪を未然時防ぐ効果が絶大であります、本発明がＡＴＭ用キャッシュカードに普及すれば、ＡＴＭ、キャッシュカードによる犯罪事件は皆無になることは自明であります。
【発明を実施するための最良の形態】
【０００８】  本発明は、ＡＴＭ、キャッシュカード、携帯電話という、ＩＴ革命の中枢をなす、いわゆる三種の神器を使った防犯システムで、日本国のみならず、全世界中で採用されれば、ＡＴＭ、キャッシュカードによる犯罪を皆無にすることが出来るものと確信します。
【産業上の利用可能性】
【０００９】  本発明の「金銭自動預払機（通称ＡＴＭ，以降ＡＴＭと称す）で現金を引き出す時に、電話機能を装備したＡＴＭと、携帯電話番号又は一般加入電話番号を登録したキャッシュカードで、携帯電話又は一般加入電話回線を使って確認しなければＡＴＭを操作出来ないシステム」の構築については特殊技術を必要とする事無く可能であり、犯罪を皆無にする事が可能であり、防犯対策の一環としても、大いに推奨できる発明であると確信します。
【図面の簡単な説明】
【００１０】
【図１】    ＡＴＭの本体とキャッシュカードを示す。
【図２】    携帯電話本体と一般加入電話本体を示す
【符号の説明】
１      ＡＴＭ本体
２      ディスプレイ
３      カードリーダー
４      紙幣受払口
５      硬貨受払口
６      携帯電話本体
７      一般加入電話本体
８      キャッシュカード
【図１】
2005174271.tif 000003
【図２】
2005174271.tif 000004